(57)【要約】【課題】  固定用プレートと支持基台との水平方向の係合強度を高めることができる歯科技工用作業模型を提供する。【解決手段】  合成樹脂製支持基台12の上面における相互に対向する両側縁の一方には、上方に突出する係合用突部24が設けられ、係合用突部24の内側部には、第１突状部26及び第１凹状部28が交互に複数設けられている。支持基台12の両側縁の他方よりも内側に離れた部位には係合用補助突部33が隣接する一対の挿入孔18の間に対応して、2〜3個ずつ設けられ、石膏製固定用プレート6の下面における相互に対向する両側縁の一方には、上方に延びる係合用凹部36が設けられ、係合用凹部36の内側部には、第２突状部38及び第２凹状部40が交互に複数設けられている。固定用プレート6の両側縁の他方よりも内側に離れた部位には係合用補助凹部45が隣接する一対のダウエルピン8の間に対応して、2〜3個ずつ設けられている。【選択図】  図４
2014079629.tif 000002
【特許請求の範囲】
【請求項１】
歯形模型が固定される石膏で形成されている固定用プレートと、前記固定用プレートに植設されたダウエルピンと、前記固定用プレートを支持するための合成樹脂から形成されている支持基台と、を備えた歯科技工用作業模型であって、
前記支持基台の上面には、前記ダウエルピンが挿入される挿入孔が設けられ、前記支持基台の上面における相互に対向する両側縁の一方には、上方に突出する係合用突部が設けられ、前記係合用突部の内側部には複数の第１突状部が間隔を置いて設けられ、前記複数の第１突状部の間にはそれぞれ第１凹状部が規定され、また前記支持基台の上面における相互に対向する両側縁の他方よりも内側に離れた部位には複数の係合用補助突部が設けられ、前記係合用補助突部の配置間隔は、挿入孔の配置間隔よりも短く構成されていて、隣接する一対の挿入孔の間に対応して、２〜３個の係合用補助突部が配設されるようにされており、
これに対応して、前記固定用プレートの下面における相互に対向する両側縁の一方には、上方に延びる係合用凹部が設けられ、前記係合用凹部の内側部には複数の第２突状部が間隔を置いて設けられ、前記複数の第２突状部の間にはそれぞれ第２凹状部が規定され、また前記固定用プレートの下面における相互に対向する両側縁の他方よりも内側に離れた部位には複数の係合用補助凹部が設けられており、前記係合用補助凹部の配置間隔は、ダウエルピンの配置間隔よりも短く構成されていて、隣接する一対のダウエルピンの間に対応して、２〜３個の係合用補助凹部が配設されるようにされており、
前記固定用プレートが前記支持基台の上面に支持されると、前記係合用突部の前記第１突状部及び前記第１凹状部がそれぞれ、前記係合用凹部の前記第２凹状部及び前記第２突状部と相互に係合されるとともに、前記係合用補助突部と前記係合用補助凹部とが相互に係合されることを特徴とする歯科技工用作業模型。
【請求項２】
前記歯形模型は全顎タイプであり、これに対応して、前記固定用プレート及び前記支持基台の上面はそれぞれ弧状に延びており、
前記係合用突部は、前記支持基台の上面における外周縁に設けられ、また前記係合用補助突部は、前記支持基台の上面における内周縁よりも内側に離れた部位に設けられ、これに対応して、前記係合用凹部は、前記固定用プレートの下面における外周縁に設けられ、また前記係合用補助凹部は、前記固定用プレートの下面における内周縁よりも内側に離れた部位に設けられていることを特徴とする請求項１に記載の歯科技工用作業模型。
【請求項３】
前記支持基台の上面における内周縁には、上方に突出する係合用突条が設けられ、これに対応して、前記固定用プレートの下面における内周縁には、上方に延びる係合用凹条が設けられており、
前記固定用プレートが前記支持基台の上面に支持されると、前記係合用突条と前記係合用凹条とが相互に係合されることを特徴とする請求項２に記載の歯科技工用作業模型。
【請求項４】
前記歯形模型は部分タイプであり、これに対応して、前記固定用プレート及び前記支持基台の上面はそれぞれ横長に形成され、
前記支持基台の上面における相互に対向する両側縁の他方には、上方に突出する係合用突条が設けられ、これに対応して、前記固定用プレートの下面における相互に対向する両側縁の他方には、上方に延びる係合用凹条が設けられており、
前記固定用プレートが前記支持基台の上面に支持されると、前記係合用突条と前記係合用凹条とが相互に係合されることを特徴とする請求項１に記載の歯科技工用作業模型。
【請求項５】
前記複数の係合用補助突部は、前記係合用突部に対して略平行に且つ間隔を置いて配置され、前記複数の係合用補助凹部は、前記係合用凹部に対して略平行に且つ間隔を置いて配置されていることを特徴とする請求項１〜４のいずれかに記載の歯科技工用作業模型。
【請求項６】
前記係合用突部の前記第１突状部には、内側に向けて下り傾斜する傾斜面が形成され、これに対応して、前記係合用凹部の前記第２凹状部には、内側に向けて下り傾斜する傾斜面が形成されていることを特徴とする請求項１〜５のいずれかに記載の歯科技工用作業模型。
【請求項７】
前記係合用突部の前記第１凹状部には、内側に向けて下り傾斜する傾斜面が形成され、これに対応して、前記係合用凹部の前記第２突状部には、内側に向けて下り傾斜する傾斜面が形成されていることを特徴とする請求項１〜６の何れかに記載の歯科技工用作業模型。
【請求項８】
前記第１突状部に形成された傾斜面の鉛直方向に対する傾斜角度は４０〜６０°であり、また前記第１凹状部に形成された傾斜面の鉛直方向に対する傾斜角度は５〜１５°であることを特徴とする請求項７に記載の歯科技工用作業模型。
【請求項９】
前記固定用プレートは、前記ダウエルピンが植設された第１プレート部と、前記ダウエルピンが植設されない第２プレート部と、を備え、
前記第１プレート部が支持される部位においては、前記係合用突部の前記第１突状部及び前記係合用凹部の前記第２凹状部にはそれぞれ、内側に向けて下り傾斜する傾斜面が形成され、また前記第２プレート部が支持される部位においては、前記係合用突部の前記第１突状部及び前記係合用凹部の前記第２凹状部にはそれぞれ、内側に向けて上り傾斜する傾斜面又は鉛直方向に延びる鉛直面が形成されていることを特徴とする請求項１〜５の何れかに記載の歯科技工用作業模型。
【請求項１０】
前記固定用プレートは、前記ダウエルピンが植設された第１プレート部と、前記ダウエルピンが植設されない第２プレート部と、を備え、
前記第１プレート部が支持される部位においては、前記係合用突部の前記第１突状部及び前記第１凹状部並びに前記係合用凹部の前記第２凹状部及び前記第２突状部にはそれぞれ、内側に向けて下り傾斜する傾斜面が形成され、また前記第２プレート部が支持される部位においては、前記係合用突部の前記第１突状部及び前記第１凹状部並びに前記係合用凹部の前記第２凹状部及び前記第２突状部にはそれぞれ、内側に向けて上り傾斜する傾斜面又は鉛直方向に延びる鉛直面が形成されていることを特徴とする請求項１〜５の何れかに記載の歯科技工用作業模型。
【請求項１１】
歯形模型が固定される石膏で形成されている固定用プレートと、前記固定用プレートに植設されたダウエルピンと、前記固定用プレートを支持するための合成樹脂から形成されている支持基台と、を備えた歯科技工用作業模型であって、
前記支持基台の上面には、前記ダウエルピンが挿入される挿入孔が設けられ、前記支持基台の上面における相互に対向する両側縁にはそれぞれ、上方に突出する係合用突条が設けられ、前記支持基台の上面における前記一対の係合用突条の間には複数の係合用補助突部が設けられ、前記複数の係合用補助突部は、前記係合用突条に対して略平行に且つ間隔を置いて配置され、前記係合用補助突部の配置間隔は、挿入孔の配置間隔よりも短く構成されていて、隣接する一対の挿入孔の間に対応して、２〜３個の係合用補助突部が配設されるようにされており、
これに対応して、前記固定用プレートの下面における相互に対向する両側縁にはそれぞれ、上方に延びる係合用凹条が設けられ、前記固定用プレートの下面における前記一対の係合用凹部の間には複数の係合用補助凹部が設けられ、前記複数の係合用補助凹部は、前記係合用凹条に対して略平行に且つ間隔を置いて配置されており、前記係合用補助凹部の配置間隔は、ダウエルピンの配置間隔よりも短く構成されていて、隣接する一対のダウエルピンの間に対応して、２〜３個の係合用補助凹部が配設されるようにされており、
前記固定用プレートが前記支持基台の上面に支持されると、前記一対の係合用突条と前記一対の係合用凹条とが相互に係合されるとともに、前記複数の係合用補助突部と前記複数の係合用補助凹部とが相互に係合されることを特徴とする歯科技工用作業模型。
【請求項１２】
前記複数の係合用補助突部は、前記支持基台の上面における前記一対の係合用突条の各々と前記挿入孔との間にそれぞれ設けられ、前記複数の係合用補助凹部は、前記固定用プレートの下面における前記一対の係合用凹部の各々と前記ダウエルピンとの間にそれぞれ設けられていることを特徴とする請求項１１に記載の歯科技工用作業模型。
【請求項１３】
歯形模型が固定されるとともにダウエルピンが植設された石膏で形成されている固定用プレートを支持するための合成樹脂から形成されている支持基台であって、
前記固定用プレートを下方より支持する支持基台本体を備え、前記支持基台本体の上面には、前記固定用プレートの前記ダウエルピンが挿入される挿入孔が設けられ、前記支持基台本体の上面における相互に対向する両側縁の一方には、上方に突出する係合用突部が設けられ、前記係合用突部の内側部には複数の第１突状部が間隔を置いて設けられ、前記複数の第１突状部の間にはそれぞれ第１凹状部が規定され、また前記支持基台の上面における相互に対向する両側縁の他方よりも内側に離れた部位には複数の係合用補助突部が設けられており、前記係合用補助突部の配置間隔は、挿入孔の配置間隔よりも短く構成されていて、隣接する一対の挿入孔の間に対応して、２〜３個の係合用補助突部が配設されるようにされており、
前記固定用プレートが前記支持基台本体の上面に支持されると、前記支持基台本体の前記係合用突部と前記固定用プレートの下面における相互に対向する両側縁の一方に設けられた係合用凹部とが相互に係合され、これにより前記係合用突部の前記第１凹状部は、前記係合用凹部の内側部に間隔を置いて複数設けられた第２突状部と相互に係合されるとともに、前記係合用突部の前記第１突状部は、前記複数の第２突状部の間にそれぞれ規定された第２凹状部と相互に係合され、更に、前記支持基台本体の前記係合用補助突部と前記固定用プレートの下面における相互に対向する両側縁の他方よりも内側に離れた部位に設けられた複数の係合用補助凹部であって、前記係合用補助凹部の配置間隔が、ダウエルピンの配置間隔よりも短く構成されており、隣接する一対のダウエルピンの間に対応して、２〜３個の係合用補助凹部が配設されている係合用補助凹部とが相互に係合されることを特徴とする支持基台。
【発明の詳細な説明】
【技術分野】
【０００１】
本発明は、歯科治療などにおいて用いられる歯科技工用作業模型及びこれに用いる支持基台に関する。
【背景技術】
【０００２】
一般に、歯科治療などにおいて用いられる歯科技工用作業模型は、歯形模型が固定される固定用プレートと、固定用プレートに植設された複数のダウエルピンと、固定用プレートを支持するための支持基台と、を備えている（例えば、特許文献１参照）。支持基台は合成樹脂から形成され、その上面には、複数の挿入孔及び複数の柱状突部が設けられている。挿入孔は、支持基台の上面に間隔を置いて配設され、また柱状突部は、挿入孔の両側に且つ支持基台の上面における側縁より内側に配設されている。固定用プレートは石膏から形成され、その下面には、支持基台の複数の柱状突部に対応して複数の柱状凹部が設けられている。
【０００３】
固定用プレートに植設されたダウエルピンを支持基台の挿入孔に挿入することにより、固定用プレートが支持基台の上面に支持される。この支持状態では、支持基台の柱状突部と固定用プレートの柱状凹部とが相互に係合される。そして、歯形模型の所定部位を固定用プレートとともに切断し、切断した固定用プレートを支持基台の上面に支持させた状態で、切断した歯形模型を用いて所要の作業（例えば、歯冠補綴物の製作等）が行われる。このとき、切断した固定用プレートの柱状凹部と支持基台の柱状突部とが相互に係合されているので、切断した固定用プレートの支持基台に対する回転が抑制される。
【先行技術文献】
【特許文献】
【０００４】
【特許文献１】特開２００９−１００８８０号公報
【発明の概要】
【発明が解決しようとする課題】
【０００５】
しかしながら、上述のような従来の歯科技工用作業模型では、切断した固定用プレートと支持基台との水平方向の係合強度が十分とは言えない。そのため、作業時に歯形模型に大きな力が加わると、切断した固定用プレートが支持基台に対してぐらつくおそれがあり、安定した作業を行うことができないという問題がある。
【０００６】
本発明の目的は、固定用プレートと支持基台との水平方向の係合強度を高めることができる歯科技工用作業模型を提供することである。
【０００７】
また、本発明の他の目的は、固定用プレートと支持基台本体との水平方向の係合強度を高めることができる支持基台を提供することである。
【課題を解決するための手段】
【０００８】
本発明の請求項１に記載の歯科技工用作業模型では、歯形模型が固定される固定用プレートと、前記固定用プレートの下面に所定方向に間隔を置いて植設された複数のダウエルピンと、前記固定用プレートを支持するための支持基台と、を備えた歯科技工用作業模型であって、
前記支持基台の上面には、前記複数のダウエルピンが挿入される複数の挿入孔が所定方向に間隔を置いて設けられ、前記支持基台の上面には上方に突出する複数の突部が間隔を置いて設けられ、前記複数の突部の配置間隔は、前記複数の挿入孔の配置間隔よりも短く構成され、また前記固定用プレートの下面には、上方に延びる複数の凹部が間隔を置いて設けられ、前記複数の凹部の配置間隔は、前記複数のダウエルピンの配置間隔よりも短く構成されており、
前記固定用プレートが前記支持基台の上面に支持されると、前記複数の突部と前記複数の凹部とが相互に係合されることを特徴とする。
本発明の請求項２に記載の歯科技工用作業模型では、前記複数の突部は前記支持基台の上面における両側縁よりも内側に離れた部位に配設され、前記複数の凹部は前記固定用プレートの下面における両側縁よりも内側に離れた部位に配設されていることを特徴とする。
本発明の請求項３に記載の歯科技工用作業模型では、前記複数の突部は前記複数の挿入孔の両側に設けられ、前記複数の凹部は前記ダウエルピンの両側に設けられていることを特徴とする。
本発明の請求項４に記載の歯科技工用作業模型では、歯形模型が固定される固定用プレートと、前記固定用プレートに植設されたダウエルピンと、前記固定用プレートを支持するための支持基台と、を備えた歯科技工用作業模型であって、
前記支持基台の上面には、前記ダウエルピンが挿入される挿入孔が設けられ、前記支持基台の上面における相互に対向する両側縁の一方には、上方に突出する係合用突部が設けられ、前記係合用突部の内側部には複数の第１突状部が間隔を置いて設けられ、前記複数の第１突状部の間にはそれぞれ第１凹状部が規定され、また前記支持基台の上面における相互に対向する両側縁の他方よりも内側に離れた部位には係合用補助突部が設けられ、これに対応して、前記固定用プレートの下面における相互に対向する両側縁の一方には、上方に延びる係合用凹部が設けられ、前記係合用凹部の内側部には複数の第２突状部が間隔を置いて設けられ、前記複数の第２突状部の間にはそれぞれ第２凹状部が規定され、また前記固定用プレートの下面における相互に対向する両側縁の他方よりも内側に離れた部位には係合用補助凹部が設けられており、
前記固定用プレートが前記支持基台の上面に支持されると、前記係合用突部の前記第１突状部及び前記第１凹状部がそれぞれ、前記係合用凹部の前記第２凹状部及び前記第２突状部と相互に係合されるとともに、前記係合用補助突部と前記係合用補助凹部とが相互に係合されることを特徴とする。
【０００９】
また、本発明の請求項５に記載の歯科技工用作業模型では、前記歯形模型は全顎タイプであり、これに対応して、前記固定用プレート及び前記支持基台の上面はそれぞれ弧状に延びており、
前記係合用突部は、前記支持基台の上面における外周縁に設けられ、また前記係合用補助突部は、前記支持基台の上面における内周縁よりも内側に離れた部位に設けられ、これに対応して、前記係合用凹部は、前記固定用プレートの下面における外周縁に設けられ、また前記係合用補助凹部は、前記固定用プレートの下面における内周縁よりも内側に離れた部位に設けられていることを特徴とする。
【００１０】
また、本発明の請求項６に記載の歯科技工用作業模型では、前記支持基台の上面における内周縁には、上方に突出する係合用突条が設けられ、これに対応して、前記固定用プレートの下面における内周縁には、上方に延びる係合用凹条が設けられており、
前記固定用プレートが前記支持基台の上面に支持されると、前記係合用突条と前記係合用凹条とが相互に係合されることを特徴とする。
【００１１】
また、本発明の請求項７に記載の歯科技工用作業模型では、前記歯形模型は部分タイプであり、これに対応して、前記固定用プレート及び前記支持基台の上面はそれぞれ横長に形成されており、
前記支持基台の上面における相互に対向する両側縁の他方には、上方に突出する係合用突条が設けられ、これに対応して、前記固定用プレートの下面における相互に対向する両側縁の他方には、上方に延びる係合用凹条が設けられており、前記固定用プレートが前記支持基台の上面に支持されると、前記係合用突条と前記係合用凹条とが相互に係合されることを特徴とする。
【００１２】
【００１３】
また、本発明の請求項８に記載の歯科技工用作業模型では、前記係合用補助突部及び前記係合用補助凹部はそれぞれ複数設けられ、前記複数の係合用補助突部は、前記係合用突部に対して略平行に且つ間隔を置いて配置され、前記複数の係合用補助凹部は、前記係合用凹部に対して略平行に且つ間隔を置いて配置されていることを特徴とする。
【００１４】
また、本発明の請求項９に記載の歯科技工用作業模型では、前記係合用突部の前記第１突状部には、内側に向けて下り傾斜する傾斜面が形成され、これに対応して、前記係合用凹部の前記第２凹状部には、内側に向けて下り傾斜する傾斜面が形成されていることを特徴とする。
【００１５】
また、本発明の請求項１０に記載の歯科技工用作業模型では、前記係合用突部の前記第１凹状部には、内側に向けて下り傾斜する傾斜面が形成され、これに対応して、前記係合用凹部の前記第２突状部には、内側に向けて下り傾斜する傾斜面が形成されていることを特徴とする。
【００１６】
また、本発明の請求項１１に記載の歯科技工用作業模型では、前記第１突状部に形成された傾斜面の鉛直方向に対する傾斜角度は４０〜６０°であり、また前記第１凹状部に形成された傾斜面の鉛直方向に対する傾斜角度は５〜１５°であることを特徴とする。
【００１７】
また、本発明の請求項１２に記載の歯科技工用作業模型では、前記固定用プレートは、前記ダウエルピンが植設された第１プレート部と、前記ダウエルピンが植設されない第２プレート部と、を備え、
前記第１プレート部が支持される部位においては、前記係合用突部の前記第１突状部及び前記係合用凹部の前記第２凹状部にはそれぞれ、内側に向けて下り傾斜する傾斜面が形成され、また前記第２プレート部が支持される部位においては、前記係合用突部の前記第１突状部及び前記係合用凹部の前記第２凹状部にはそれぞれ、内側に向けて上り傾斜する傾斜面又は鉛直方向に延びる鉛直面が形成されていることを特徴とする。
【００１８】
また、本発明の請求項１３に記載の歯科技工用作業模型では、前記固定用プレートは、前記ダウエルピンが植設された第１プレート部と、前記ダウエルピンが植設されない第２プレート部と、を備え、
前記第１プレート部が支持される部位においては、前記係合用突部の前記第１突状部及び前記第１凹状部並びに前記係合用凹部の前記第２凹状部及び前記第２突状部にはそれぞれ、内側に向けて下り傾斜する傾斜面が形成され、また前記第２プレート部が支持される部位においては、前記係合用突部の前記第１突状部及び前記第１凹状部並びに前記係合用凹部の前記第２凹状部及び前記第２突状部にはそれぞれ、内側に向けて上り傾斜する傾斜面又は鉛直方向に延びる鉛直面が形成されていることを特徴とする。
【００１９】
また、本発明の請求項１４に記載の歯科技工用作業模型では、歯形模型が固定される固定用プレートと、前記固定用プレートに植設されたダウエルピンと、前記固定用プレートを支持するための支持基台と、を備えた歯科技工用作業模型であって、
前記支持基台の上面には、前記ダウエルピンが挿入される挿入孔が設けられ、前記支持基台の上面における相互に対向する両側縁にはそれぞれ、上方に突出する係合用突条が設けられ、前記支持基台の上面における前記一対の係合用突条の間には複数の係合用補助突部が設けられ、前記複数の係合用補助突部は、前記係合用突条に対して略平行に且つ間隔を置いて配置され、これに対応して、前記固定用プレートの下面における相互に対向する両側縁にはそれぞれ、上方に延びる係合用凹条が設けられ、前記固定用プレートの下面における前記一対の係合用凹部の間には複数の係合用補助凹部が設けられ、前記複数の係合用補助凹部は、前記係合用凹条に対して略平行に且つ間隔を置いて配置されており、
前記固定用プレートが前記支持基台の上面に支持されると、前記一対の係合用突条と前記一対の係合用凹条とが相互に係合されるとともに、前記複数の係合用補助突部と前記複数の係合用補助凹部とが相互に係合されることを特徴とする。
【００２０】
また、本発明の請求項１５に記載の歯科技工用作業模型では、前記複数の係合用補助突部は、前記支持基台の上面における前記一対の係合用突条の各々と前記挿入孔との間にそれぞれ設けられ、前記複数の係合用補助凹部は、前記固定用プレートの下面における前記一対の係合用凹部の各々と前記ダウエルピンとの間にそれぞれ設けられていることを特徴とする。
【００２１】
【００２２】
また、本発明の請求項１６に記載の支持基台では、歯形模型が固定されるとともにダウエルピンが植設された固定用プレートを支持するための支持基台であって、
前記固定用プレートを下方より支持する支持基台本体を備え、前記支持基台本体の上面には、前記固定用プレートの前記ダウエルピンが挿入される挿入孔が設けられ、前記支持基台本体の上面における相互に対向する両側縁の一方には、上方に突出する係合用突部が設けられ、前記係合用突部の内側部には複数の第１突状部が間隔を置いて設けられ、前記複数の第１突状部の間にはそれぞれ第１凹状部が規定され、また前記支持基台の上面における相互に対向する両側縁の他方よりも内側に離れた部位には係合用補助突部が設けられており、
前記固定用プレートが前記支持基台本体の上面に支持されると、前記支持基台本体の前記係合用突部と前記固定用プレートの下面における相互に対向する両側縁の一方に設けられた係合用凹部とが相互に係合され、これにより前記係合用突部の前記第１凹状部は、前記係合用凹部の内側部に間隔を置いて複数設けられた第２突状部と相互に係合されるとともに、前記係合用突部の前記第１突状部は、前記複数の第２突状部の間にそれぞれ規定された第２凹状部と相互に係合され、更に、前記支持基台本体の前記係合用補助突部と前記固定用プレートの下面における相互に対向する両側縁の他方よりも内側に離れた部位に設けられた係合用補助凹部とが相互に係合されることを特徴とする。
【発明の効果】
【００２３】
本発明の請求項１に記載の歯科技工用作業模型によれば、支持基台の上面には上方に突出する複数の突部が間隔を置いて設けられ、また固定用プレートの下面には上方に延びる複数の凹部が間隔を置いて設けられている。固定用プレートが支持基台の上面に支持されると、複数の突部と複数の凹部とが相互に係合される。複数の突部（複数の凹部）の配置間隔は、複数の挿入孔（複数のダウエルピン）の配置間隔よりも短く構成されているので、歯科技工用作業模型の製造工程（具体的には、後述する切断工程）において固定用プレートを切断すると、切断した各固定用プレートにおいては、複数の突部と複数の凹部とが相互に係合されるようになる。これにより、切断した固定用プレートと支持基台との水平方向の係合強度を高く保つことができる。
本発明の請求項２に記載の歯科技工用作業模型によれば、複数の突部は支持基台の上面における両側縁よりも内側に離れた位に配設され、複数の凹部は固定用プレートの下面における両側縁よりも内側に離れた部位に配設されているので、切断した固定用プレートと支持基台との水平方向の係合強度を高く保つことができる。
本発明の請求項３に記載の歯科技工用作業模型によれば、複数の突部は複数の挿入孔の両側に設けられ、複数の凹部はダウエルピンの両側に設けられているので、切断した固定用プレートと支持基台との水平方向の係合強度を高く保つことができる。
本発明の請求項４に記載の歯科技工用作業模型によれば、支持基台の上面における相互に対向する両側縁の一方には係合用突部が設けられ、またその他方よりも内側に離れた部位には係合用補助突部が設けられ、これに対応して、固定用プレートの下面における相互に対向する両側縁の一方には係合用凹部が設けられ、またその他方よりも内側に離れた部位には係合用補助凹部が設けられている。係合用突部の内側部には、第１突状部及び第１凹状部が交互に複数設けられ、また係合用凹部の内側部には、第２突状部及び第２凹状部が交互に複数設けられている。固定用プレートが支持基台の上面に支持されると、係合用突部の第１突状部及び第１凹状部がそれぞれ係合用凹部の第２凹状部及び第２突状部と相互に係合されるとともに、係合用補助突部と係合用補助凹部とが相互に係合される。これにより、歯形模型を用いた所要の作業を行う際に、固定用プレートの支持基台に対する回転やぐらつき等を確実に防止することができ、作業効率を高めることができる。
【００２４】
また、本発明の請求項５に記載の歯科技工用作業模型によれば、係合用補助突部は、支持基台の上面における内周縁よりも内側に離れた部位に設けられ、係合用補助凹部は、固定用プレートの下面における内周縁よりも内側に離れた部位に設けられている。これら係合用補助突部と係合用補助凹部とが相互に係合されることにより、歯科技工用作業模型の製造工程（具体的には、後述する切断工程）において固定用プレートを切断した際に、切断した固定用プレートと支持基台との水平方向の係合強度を高く保つことができる。
【００２５】
また、本発明の請求項６に記載の歯科技工用作業模型によれば、支持基台の上面における内周縁には、上方に突出する係合用突条が設けられ、これに対応して、固定用プレートの下面における内周縁には、上方に延びる係合用凹条が設けられている。これにより、固定用プレートが支持基台の上面に支持されると、係合用突条と係合用凹条とが相互に係合されるようになり、固定用プレートと支持基台との水平方向の係合強度をより一層高めることができる。
【００２６】
また、本発明の請求項７に記載の歯科技工用作業模型によれば、支持基台の上面における両側縁の他方には、上方に突出する係合用突条が設けられ、これに対応して、固定用プレートの下面における両側縁の他方には、上方に延びる係合用凹条が設けられている。これにより、固定用プレートが支持基台の上面に支持されると、係合用突条と係合用凹条とが相互に係合されるようになり、固定用プレートと支持基台との水平方向の係合強度をより一層高めることができる。
【００２７】
【００２８】
また、本発明の請求項８に記載の歯科技工用作業模型によれば、複数の係合用補助突部は、係合用突部に対して略平行に且つ間隔を置いて配置され、複数の係合用補助凹部は、係合用凹部に対して略平行に且つ間隔を置いて配置されているので、複数の係合用補助突部と複数の係合用補助凹部とが相互に係合されることにより、切断工程において切断した固定用プレートと支持基台との水平方向の係合強度をより一層高く保つことができる。
【００２９】
また、本発明の請求項９に記載の歯科技工用作業模型によれば、係合用突部の第１突状部には、内側に向けて下り傾斜する傾斜面が形成され、これに対応して、係合用凹部の第２凹状部には、内側に向けて下り傾斜する傾斜面が形成されているので、固定用プレートと支持基台との鉛直方向の係合強度が比較的低くなり、固定用プレートの支持基台に対する着脱を容易に行うことができ、作業性を高めることができる。また、第１突状部の傾斜面と第２凹状部の傾斜面とが相互に案内されることにより、固定用プレートの支持基台に対する位置決めを容易に且つ確実に行うことができる。
【００３０】
また、本発明の請求項１０に記載の歯科技工用作業模型によれば、係合用突部の第１凹状部には、内側に向けて下り傾斜する傾斜面が形成され、これに対応して、係合用凹部の第２突状部には、内側に向けて下り傾斜する傾斜面が形成されているので、固定用プレートと支持基台との鉛直方向の係合強度が比較的低くなり、固定用プレートの支持基台に対する着脱を容易に行うことができ、作業性を高めることができる。また、第１凹状部の傾斜面と第２突状部の傾斜面とが相互に案内されることにより、固定用プレートの支持基台に対する位置決めを容易に且つ確実に行うことができる。
【００３１】
また、本発明の請求項１１に記載の歯科技工用作業模型によれば、第１突状部に形成された傾斜面の鉛直方向に対する傾斜角度は４０〜６０°であり、また第１凹状部に形成された傾斜面の鉛直方向に対する傾斜角度は５〜１５°であるので、固定用プレートを石膏で形成した場合における第２突状部及び第２凹状部の割れを抑制することができるとともに、固定用プレートと支持基台との鉛直方向の係合強度を適度に保つことができる。
【００３２】
また、本発明の請求項１２に記載の歯科技工用作業模型によれば、ダウエルピンが植設された第１プレート部が支持される部位においては、係合用突部の第１突状部及び係合用凹部の第２凹状部にはそれぞれ、内側に向けて下り傾斜する傾斜面が形成され、またダウエルピンが植設されない第２プレート部が支持される部位においては、係合用突部の第１突状部及び係合用凹部の第２凹状部にはそれぞれ、内側に向けて上り傾斜する傾斜面又は鉛直方向に延びる鉛直面が形成されているので、第１プレート部が支持される部位においては、第１プレート部と支持基台との鉛直方向の係合強度が比較的低くなり、また第２プレート部が支持される部位においては、第２プレート部と支持基台との鉛直方向の係合強度が比較的高くなる。一般に、歯形模型を用いた所要の作業を行う際には、ダウエルピンが植設された第１プレート部は支持基台に対して着脱して使用するが、ダウエルピンが植設されない第２プレート部は、支持基台より取り外すことなく支持基台に支持させたままで使用する。従って、上述のような構成を具備することにより、第１プレート部の支持基台に対する着脱を容易に行うことができるとともに、作業時における第２プレート部の支持基台からの落下を抑制することができ、歯形模型を用いた所要の作業を効率良く行うことができる。
【００３３】
また、本発明の請求項１３に記載の歯科技工用作業模型によれば、ダウエルピンが植設された第１プレート部が支持される部位においては、係合用突部の第１突状部及び第１凹状部並びに係合用凹部の第２凹状部及び第２突状部にはそれぞれ、内側に向けて下り傾斜する傾斜面が形成され、またダウエルピンが植設されない第２プレート部が支持される部位においては、係合用突部の第１突状部及び第１凹状部並びに係合用凹部の第２凹状部及び第２突状部にはそれぞれ、内側に向けて上り傾斜する傾斜面又は鉛直方向に延びる鉛直面が形成されているので、第１プレート部が支持される部位においては、第１プレート部と支持基台との鉛直方向の係合強度が比較的低くなり、また第２プレート部が支持される部位においては、第２プレート部と支持基台との鉛直方向の係合強度が比較的高くなる。一般に、歯形模型を用いた所要の作業を行う際には、ダウエルピンが植設された第１プレート部は支持基台に対して着脱して使用するが、ダウエルピンが植設されない第２プレート部は、支持基台より取り外すことなく支持基台に支持させたままで使用する。従って、上述のような構成を具備することにより、第１プレート部の支持基台に対する着脱を容易に行うことができるとともに、作業時における第２プレート部の支持基台からの落下を抑制することができ、歯形模型を用いた所要の作業を効率良く行うことができる。
【００３４】
また、本発明の請求項１４に記載の歯科技工用作業模型によれば、支持基台の上面における相互に対向する両側縁にはそれぞれ上方に突出する係合用突条が設けられ、固定用プレートの下面における相互に対向する両側縁にはそれぞれ上方に延びる係合用凹条が設けられている。また、支持基台の上面における一対の係合用突条の間には複数の係合用補助突部が設けられ、固定用プレートの下面における一対の係合用凹条の間には複数の係合用補助凹部が設けられている。固定用プレートが支持基台の上面に支持されると、一対の係合用突条と一対の係合用凹条とが相互に係合されるとともに、複数の係合用補助突部と複数の係合用補助凹部とが相互に係合されるので、固定用プレートと支持基台との水平方向の係合強度を高めることができる。これにより、歯形模型を用いた所要の作業を行う際に、固定用プレートの支持基台に対する回転やぐらつき等を確実に防止することができ、作業効率を高めることができる。
【００３５】
また、本発明の請求項１５に記載の歯科技工用作業模型によれば、複数の係合用補助突部は、支持基台の上面における一対の係合用突条の各々と挿入孔との間にそれぞれ設けられ、複数の係合用補助凹部は、固定用プレートの下面における一対の係合用凹部の各々とダウエルピンとの間にそれぞれ設けられているので、複数の係合用補助突部と複数の係合用補助凹部とが相互に係合されることにより、切断工程において切断した固定用プレートと支持基台との水平方向の係合強度をより一層高く保つことができる。
【００３６】
【００３７】
また、本発明の請求項１６に記載の支持基台によれば、支持基台の上面における相互に対向する両側縁の一方には係合用突部が設けられ、またその他方よりも内側に離れた部位には係合用補助突部が設けられている。係合用突部の内側部には、第１突状部及び第１凹状部が交互に複数設けられている。固定用プレートが支持基台本体の上面に支持されると、支持基台本体の係合用突部と固定用プレートに設けられた係合用凹部とが相互に係合され、これにより係合用突部の第１突状部及び第１凹状部はそれぞれ、係合用凹部の内側部に交互に複数設けられた第２凹状部及び第２突状部と相互に係合され、更に、支持基台本体の係合用補助突部と固定用プレートに設けられた係合用補助凹部とが相互に係合されるので、固定用プレートと支持基台本体との水平方向の係合強度を高めることができる。これにより、歯形模型を用いた所要の作業を行う際に、固定用プレートの支持基台本体に対する回転やぐらつき等を確実に防止することができ、作業効率を高めることができる。
【図面の簡単な説明】
【００３８】
【図１】本発明の第１の実施形態による歯科技工用作業模型を示す斜視図である。
【図２】図１の歯科技工用作業模型を示す分解斜視図である。
【図３】図２の係合用突部の一部を拡大して示す部分拡大斜視図である。
【図４】（ａ）は、支持基台の上面を示す図であり、（ｂ）は、固定用プレートの下面を示す図である。
【図５】図１中のＡ−Ａ線による歯科技工用作業模型の断面図である。
【図６】支持基台の上部に成型用基枠を装着する前の状態を示す斜視図である。
【図７】支持基台の上部に成型用基枠を装着した状態を示す断面図である。
【図８】注入空間内に石膏を注入した状態を示す断面図である。
【図９】本発明の第２の実施形態による歯科技工用作業模型の支持基台の上面を示す図である。
【図１０】図９の係合用突部の一部を拡大して示す部分拡大斜視図である。
【図１１】本発明の第３の実施形態による歯科技工用作業模型の係合用突部の一部を拡大して示す部分拡大斜視図である。
【図１２】本発明の第４の実施形態による歯科技工用作業模型を示す分解斜視図である。
【図１３】（ａ）は、図１２の支持基台の上面を示す図であり、（ｂ）は、その固定用プレートの下面を示す図である。
【図１４】（ａ）は、本発明の第５の実施形態による歯科技工用作業模型の支持基台の上面を示す図であり、（ｂ）は、その固定用プレートの下面を示す図である。
【図１５】（ａ）は、本発明の第６の実施形態による歯科技工用作業模型の支持基台の上面を示す図であり、（ｂ）は、その固定用プレートの下面を示す図である。
【図１６】（ａ）は、本発明の第７の実施形態による歯科技工用作業模型の支持基台の上面を示す図であり、（ｂ）は、その固定用プレートの下面を示す図である。
【図１７】（ａ）は、本発明の第８の実施形態による歯科技工用作業模型の支持基台の上面を示す図であり、（ｂ）は、その固定用プレートの下面を示す図である。
【図１８】（ａ）は、図１７の歯科技工用作業模型の支持基台の変形形態を示す図であり、（ｂ）は、その固定用プレートの変形形態を示す図である。
【図１９】（ａ）は、本発明の第９の実施形態による歯科技工用作業模型の支持基台の上面を示す図であり、（ｂ）は、その固定用プレートの下面を示す図である。
【図２０】（ａ）は、本発明の第１０の実施形態による歯科技工用作業模型の支持基台の上面を示す図であり、（ｂ）は、その固定用プレートの下面を示す図である。
【発明を実施するための形態】
【００３９】
以下、添付図面を参照して、本発明に従う歯科技工用作業模型及びこれに用いる支持基台の各種実施形態について説明する。
［第１の実施形態］
まず、図１〜図８を参照して、第１の実施形態の歯科技工用作業模型及びこれに用いる支持基台について説明する。図１は、本発明の第１の実施形態による歯科技工用作業模型を示す斜視図であり、図２は、図１の歯科技工用作業模型を示す分解斜視図であり、図３は、図２の係合用突部の一部を拡大して示す部分拡大斜視図であり、図４（ａ）は、支持基台の上面を示す図であり、図４（ｂ）は、固定用プレートの下面を示す図であり、図５は、図１中のＡ−Ａ線による歯科技工用作業模型の断面図であり、図６は、支持基台の上部に成型用基枠を装着する前の状態を示す斜視図であり、図７は、支持基台の上部に成型用基枠を装着した状態を示す断面図であり、図８は、注入空間内に石膏を注入した状態を示す断面図である。
【００４０】
図１及び図２を参照して、図示の歯科技工用作業模型２は、歯形模型４が固定される固定用プレート６と、固定用プレート６に植設された５本のダウエルピン８と、固定用プレート６を支持するための支持基台１０と、を備えている。
【００４１】
支持基台１０は支持基台本体１２を備え、この支持基台本体１２は、例えばポリエチレン樹脂やポリプロピレン樹脂、ナイロン樹脂、ウレタン樹脂などの合成樹脂から形成されている。この支持基台本体１２は、横長且つ筒状の周側壁１４と、周側壁１４の上側を覆う横長の上壁１６と、を有している。上壁１６の上面（支持基台１０の上面を規定する）には、その長手方向（図１及び図２において左下から右上の方向）に間隔を置いて５個の挿入孔１８が設けられている。周側壁１４の内側に形成された空間２０には、各挿入孔１８に対応して上壁１６の下面から下方に延びる筒状突部２２が設けられており、各挿入孔１８はこの筒状突部２２の内部を貫通して設けられている（図５参照）。なお、各挿入孔１８は、筒状突部２２の上端部から下端部に向けて内径が漸減するテーパ状に形成されている。
【００４２】
また、上壁１６の上面における一側縁には係合用突部２４が設けられ、その他側縁には係合用突条２５が設けられている。係合用突部２４及び係合用突条２５はそれぞれ、上方に突出するとともに上壁１６の長手方向に延びている。なお、上壁１６の両端部においては、係合用突部２４及び係合用突条２５は設けられていない。係合用突部２４及び係合用突条２５の上壁１６からの突出高さＨ（図５参照）は、約１．５ｍｍに設定されている。
【００４３】
係合用突部２４の内側部には複数の第１突状部２６が間隔を置いて設けられ、また複数の第１突状部２６の間にはそれぞれ第１凹状部２８が規定されている（図３及び図４（ａ）参照）。第１突状部２６には、内側に向けて下り傾斜する傾斜面３０が形成され、また第１凹状部２８には、内側に向けて下り傾斜する傾斜面３２が形成されている（図３及び図５参照）。第１突状部２６に形成された傾斜面３０の鉛直方向に対する傾斜角度θ１（例えば約４５°）は、第１凹状部２８に形成された傾斜面３２の鉛直方向に対する傾斜角度θ２（例えば約１０°）よりも大きく構成されており、このように構成することによって、係合用突部２４の樹脂成型を容易に行うことができる。なお、係合用突条２５の内側部には、係合用突部２４のように複数の第１突状部及び複数の第１凹状部は設けられていない。
【００４４】
また、上壁１６の上面における他側縁よりも内側に離れた部位（具体的には、上壁１６の上面における他側縁と挿入孔１８との間の部位）には、複数の係合用補助突部３３が設けられている。複数の係合用補助突部３３は、係合用突部２４に対して略平行に且つ間隔を置いて配置されている。係合用補助突部３３の突出高さは、係合用突部２４の突出高さＨと同程度又はこれよりも幾分低く構成されている。なお、本実施形態では、係合用補助突部３３は平面視で長方形状に構成されており、その長さは例えば約３ｍｍに構成されている。また、係合用補助突部３３の配置間隔（例えば約４ｍｍ）は、挿入孔１８の配置間隔（例えば約９ｍｍ）よりも短く構成されており、これにより隣接する一対の挿入孔１８の間に対応して、例えば１〜４個（好ましくは２〜３個）の係合用補助突部３３が配設されるようになる。
【００４５】
また、周側壁１４の外周面には、挿入孔１８に対応して（換言すると、固定用プレート６のダウエルピン８に対応して）位置決め用突部３４が設けられている。この位置決め用突部３４は、挿入孔１８を挟んでそれらの両側にそれぞれ配設されている。
【００４６】
固定用プレート６は石膏から形成され、支持基台本体１２の上壁１６の形状に対応した横長の形状を有している。この固定用プレート６には、支持基台本体１２の各挿入孔１８に対応して５本のダウエルピン８が植設されている。ダウエルピン８は、上述のように各挿入孔１８がテーパ状に形成されていることに対応して、その基端部から先端部に向けて外径が漸減するテーパ状に形成されている。また、固定用プレート６に埋設されるダウエルピン８の基端部には、固定用プレート６に対する固定強度を高めるためにローレット加工が施されている。
【００４７】
また、固定用プレート６の下面（即ち、ダウエルピン８が突出する側の面）における一側縁には、支持基台本体１２の係合用突部２４に対応して係合用凹部３６が設けられ、またその他側縁には、支持基台本体１２の係合用突条２５に対応して係合用凹条３７が設けられている。係合用凹部３６及び係合用凹条３７はそれぞれ、上方に延びるとともに固定用プレート６の長手方向に延びている。
【００４８】
係合用凹部３６の内側部には複数の第２突状部３８が間隔を置いて設けられ、また複数の第２突状部３８の間にはそれぞれ第２凹状部４０が規定されている（図４（ｂ）参照）。第２突状部３８及び第２凹状部４０はそれぞれ、係合用突部２４の第１凹状部２８及び第１突状部２６の各形状に対応した形状を有している。これにより、第２突状部３８には、第１凹状部２８の傾斜面３２に対応して、内側に向けて下り傾斜する傾斜面４２が形成され、また第２凹状部４０には、第１突状部２６の傾斜面３０に対応して、内側に向けて下り傾斜する傾斜面４４が形成されている。なお、係合用凹条３７の内側部には、係合用凹部３６のように複数の第２突状部及び複数の第２凹状部は設けられていない。
【００４９】
また、固定用プレート６の下面における他側縁よりも内側に離れた部位（具体的には、固定用プレート６の下面における他側縁とダウエルピン８との間の部位）には、複数の係合用補助凹部４５が設けられている。複数の係合用補助凹部４５は、複数の係合用補助突部３３に対応して、係合用凹部３６に対して略平行に且つ間隔を置いて配置されている。なお、本実施形態では、係合用補助凹部４５は平面視で長方形状に構成されており、その長さは例えば約３ｍｍに構成されている。また、係合用補助凹部４５の配置間隔（例えば約４ｍｍ）は、ダウエルピン８の配置間隔（例えば約９ｍｍ）よりも短く構成されており、これにより隣接する一対のダウエルピン８の間に対応して、例えば１〜４個（好ましくは２〜３個）の係合用補助凹部４５が配設されるようになる。
【００５０】
固定用プレート６の上面には、石膏から形成された歯形模型４（本実施形態では、部分タイプのもの）が固定されている。この固定用プレート６は、ダウエルピン８を対応する挿入孔１８に着脱自在に挿入することにより、支持基台本体１２の上壁１６の上面に着脱自在に支持される。この支持状態では、ダウエルピン８の先端部は筒状突部２２の下端部から下方に幾分突出される（図５参照）。また、係合用突部２４の第１突状部２６及び第１凹状部２８はそれぞれ、係合用凹部３６の第２凹状部４０及び第２突状部３８と相互に着脱自在に係合される。更に、係合用突条２５と係合用凹条３７とが相互に着脱自在に係合されるとともに、複数の係合用補助突部３３と複数の係合用補助凹部４５とが相互に着脱自在に係合される。
【００５１】
次に、図６〜図８を参照して、上述した歯科技工用作業模型２の製造方法について説明する。まず、歯型（図示せず）に石膏を流し込んで歯形模型４を製作し、また、合成樹脂による射出成型によって支持基台本体１２を製造する。そして、図６に示すように、支持基台本体１２の各挿入孔１８にダウエルピン８を先端部側から着脱自在に挿入する（ピン挿入工程）。このように挿入すると、ダウエルピン８の基端部は、支持基台本体１２の上壁１６から上方に所定長さ（例えば約４ｍｍ）だけ突出される（図７参照）。
【００５２】
その後、図６及び図７に示すように、支持基台本体１２の上部に成型用基枠４６を着脱自在に装着する（枠装着工程）。ここで、枠装着工程で用いる成型用基枠４６について説明すると、成型用基枠４６は全体として略矩形状の外形を有し、例えばシリコンゴムや合成ゴムなどのゴム材料から形成されている。成型用基枠４６の内側には上下に貫通する開口４８が設けられ、この開口４８は、支持基台本体１２の上部の形状に対応した形状を有している。
【００５３】
成型用基枠４６を支持基台本体１２の上部に装着すると、支持基台本体１２の上壁１６及び周側壁１４の上端部が開口４８の下端部に挿入され、成型用基枠４６の内周面が周側壁１４の外周面に密着するようになる。このとき、成型用基枠４６の下端部が支持基台本体１２の位置決め用突部３４に支持されることにより、成型用基枠４６が支持基台本体１２に対して位置決めされる。この装着状態では、成型用基枠４６は、支持基台本体１２の上壁１６から上方に所定高さ（例えば約８ｍｍ）だけ突出されるようになり、支持基台本体１２の上面及び成型用基枠４６の内周面によって注入空間５０が規定される。
【００５４】
その後に、図８に示すように、固定用プレート６を成型するための石膏５２を注入空間５０に注入する（プレート成型工程）。この石膏５２は、ダウエルピン８の基端部が石膏５２に完全に浸漬されるまで注入される。このとき、支持基台本体１２の上壁１６の両端部には係合用突部２４及び係合用突条２５が設けられていないので、注入した石膏５２が上壁１６の両端部に流れるようになり、石膏５２を上壁１６の全域にほぼ均一に注入することができる。注入空間５０内の石膏５２が硬化することにより、ダウエルピン８が植設され且つ係合用凹部３６、係合用凹条３７及び複数の係合用補助凹部４５が形成された固定用プレート６が成型される。その後、成型用基枠４６を支持基台本体１２の上部から取り外し、固定用プレート６の上面に例えば研削加工を施して平坦となるように加工する（加工工程）。この加工は、固定用プレート６を支持基台本体１２の上面に支持させた状態で行われ、ダウエルピン８の基端面が外部に露出するまで行う。
【００５５】
その後、研削加工を施した固定用プレート６の上面に歯形模型４を接着剤等を用いて固定する（模型固定工程）。更にその後、固定用プレート６を支持基台本体１２の上面に支持させた状態で、図１中の一点鎖線で示す切断線５４に沿って歯形模型４の所定部位（即ち、隣接する一対のダウエルピン８の間の部位）を固定用プレート６とともに切断工具（図示せず）を用いて切断する（切断工程）。このとき、固定用プレート６を切断することによって、係合用突部２４及び係合用突条２５にそれぞれ切断工具による切り込み５６が形成されるようになる。このように切断することによって、歯形模型４の切断した部位を固定用プレート６及びダウエルピン８とともに残りの部位から取り出すことができる。なお、上述したように、支持基台本体１２には挿入孔１８に対応して位置決め用突部３４が設けられているので、歯形模型４を切断する際に、この位置決め用突部３４に基づいてダウエルピン８の配設箇所を容易に確認することができる。
【００５６】
この切断した歯形模型４を用いた所要の作業（例えば、歯冠補綴物の製作等）は、切断した固定用プレート６を支持基台本体１２の上面に支持させた状態で行われる。本実施形態の歯科技工用作業模型２では、上述のように係合用突部２４の第１突状部２６及び第１凹状部２８と係合用凹部３６の第２凹状部４０及び第２突状部３８とがそれぞれ相互に係合されるとともに、係合用突条２５と係合用凹条３７とが相互に係合され、更に複数の係合用補助突部３３と複数の係合用補助凹部４５とが相互に係合されるので、固定用プレート６と支持基台本体１２との水平方向の係合強度を高めることができ、切断した固定用プレート６の支持基台本体１２に対する回転やぐらつき等を確実に防止することができる。
【００５７】
また、係合用突部２４の第１突状部２６及び係合用凹部３６の第２凹状部４０にはそれぞれ、内側に向けて下り傾斜する傾斜面３０，４４が対応して形成され、また係合用突部２４の第１凹状部２８及び係合用凹部３６の第２突状部３８にはそれぞれ、内側に向けて下り傾斜する傾斜面３２，４２が対応して形成されているので、固定用プレート６と支持基台本体１２との鉛直方向の係合強度が比較的低くなり、固定用プレート６の支持基台本体１２に対する着脱を容易に行うことができる。
【００５８】
なお、係合用突部２４及び係合用突条２５の突出高さＨは、０．５〜５．０ｍｍであるのが好ましく、１．０〜３．０ｍｍであるのがより好ましい。上記突出高さＨが０．５ｍｍよりも低いと、固定用プレート６と支持基台本体１２との水平方向の係合強度が十分でなく、また上記突出高さＨが５．０ｍｍよりも高いと、切断工程における切断工具による係合用突部２４及び係合用突条２５への切り込み量が多くなり、作業効率が低下してしまう。
【００５９】
また、第１突状部２６に形成された傾斜面３０の傾斜角度θ１は、４０〜６０°であるのが好ましく、また第１凹状部２８に形成された傾斜面３２の傾斜角度θ２は、５〜１５°であるのが好ましい。上記傾斜角度θ１が４０°よりも小さく、上記傾斜角度θ２が５°よりも小さいと、石膏で形成された固定用プレート６の第２突状部３８及び第２凹状部４０の割れが生じ易くなる。また、上記傾斜角度θ１が６０°よりも大きく、上記傾斜角度θ２が１５°よりも大きいと、固定用プレート６と支持基台本体１２との鉛直方向の係合強度が極端に低くなり、作業時に固定用プレート６が支持基台本体１２より落下するおそれがある。
【００６０】
本実施形態では、模型固定工程において、固定用プレート６の上面に歯形模型４を接着剤等を用いて固定するようにしたが、成型前の固定用プレート６（即ち、硬化前の石膏５２）に歯形模型４を押し付け、石膏５２の硬化により固定用プレート６の上面に歯形模型４を固定するようにしてもよい。
【００６１】
また、本実施形態では、上壁１６の上面における一側縁に係合用突部２４を設けるとともに、その他側縁に係合用突条２５を設け、更に上壁１６の上面における他側縁よりも内側に離れた部位に複数の係合用補助突部３３を設けるように構成したが、これとは反対に、上壁１６の上面における一側縁に係合用突条２５を設けるとともに、その他側縁に係合用突部２４を設け、更に上壁１６の上面における一側縁よりも内側に離れた部位に複数の係合用補助突部３３を設けるように構成してもよい。
［第２の実施形態］
次に、図９及び図１０を参照して、第２の実施形態の歯科技工用作業模型及びこれに用いる支持基台について説明する。図９は、本発明の第２の実施形態による歯科技工用作業模型の支持基台の上面を示す図であり、図１０は、図９の係合用突部の一部を拡大して示す部分拡大斜視図である。なお、以下に示す各実施形態において、上記実施形態と実質上同一の構成要素には同一の符号を付し、その説明を省略する。
【００６２】
本実施形態の歯科技工用作業模型２Ａでは、支持基台本体１２Ａの上壁１６Ａには３個の挿入孔１８が設けられ、これら３個の挿入孔１８は、上壁１６Ａの長手方向中央部寄りに配設されている。これにより、切断工程において、図９中の一点鎖線で示す切断線５４Ａに沿って固定用プレート６Ａを切断することにより、固定用プレート６Ａは、ダウエルピン（図示せず）が植設された３個の第１プレート部５８と、ダウエルピンが植設されない２個の第２プレート部６０とに分割されるようになる。
【００６３】
第１プレート部５８が支持される部位においては、上記第１の実施形態と同様に、係合用突部２４Ａの第１突状部２６及び第１凹状部２８にはそれぞれ、内側に向けて下り傾斜する傾斜面３０，３２が形成され、またこれに対応して、係合用凹部（図示せず）の第２突状部及び第２凹状部にはそれぞれ、内側に向けて下り傾斜する傾斜面が形成されている。また、第２プレート部６０が支持される部位においては、係合用突部２４Ａの第１突状部２６Ａ及び第１凹状部２８Ａにはそれぞれ、鉛直方向に延びる鉛直面６２，６４が形成され、またこれに対応して、係合用凹部（図示せず）の第２突状部及び第２凹状部にはそれぞれ、鉛直方向に延びる鉛直面が形成されている。このように構成されているので、第１プレート部５８と支持基台本体１２Ａとの鉛直方向の係合強度が比較的低くなるとともに、第２プレート部６０と支持基台本体１２Ａとの鉛直方向の係合強度が比較的高くなる。
【００６４】
一般に、歯形模型（図示せず）を用いた所要の作業を行う際には、ダウエルピンが植設された第１プレート部５８は支持基台本体１２Ａに対して着脱して使用するが、ダウエルピンが植設されない第２プレート部６０は、支持基台本体１２Ａより取り外すことなく支持基台本体１２Ａに支持させたままで使用する。本実施形態の歯科技工用作業模型２Ａでは、上述のような構成により、第１プレート部５８の支持基台本体１２Ａに対する着脱を容易に行うことができるとともに、作業時における第２プレート部６０の支持基台本体１２Ａからの落下を抑制することができるので、歯形模型を用いた所要の作業を効率良く行うことができる。
［第３の実施形態］
次に、図１１を参照して、第３の実施形態の歯科技工用作業模型及びこれに用いる支持基台について説明する。図１１は、本発明の第３の実施形態による歯科技工用作業模型の係合用突部の一部を拡大して示す部分拡大斜視図である。
【００６５】
本実施形態の歯科技工用作業模型２Ｂでは、第２の実施形態と同様に、切断工程において、図１１中の一点鎖線で示す切断線５４Ｂに沿って固定用プレート６Ｂを切断することにより、固定用プレート６Ｂは、ダウエルピン（図示せず）が植設された複数の第１プレート部５８Ｂと、ダウエルピンが植設されない複数の第２プレート部６０Ｂとに分割されるようになる。
【００６６】
第１プレート部５８Ｂが支持される部位においては、係合用突部２４Ｂの第１突状部２６及び第１凹状部２８にはそれぞれ、内側に向けて下り傾斜する傾斜面３０，３２が形成され、またこれに対応して、係合用凹部（図示せず）の第２突状部及び第２凹状部にはそれぞれ、内側に向けて下り傾斜する傾斜面が形成されている。また、第２プレート部６０Ｂが支持される部位においては、係合用突部２４Ｂの第１突状部２６Ｂ及び第１凹状部２８Ｂにはそれぞれ、内側に向けて上り傾斜する傾斜面６６，６８が形成され、またこれに対応して、係合用凹部（図示せず）の第２突状部及び第２凹状部にはそれぞれ、内側に向けて上り傾斜する傾斜面が形成されている。このように構成されているので、第１プレート部５８Ｂが支持される部位においては、第１プレート部５８Ｂと支持基台本体１２Ｂとの鉛直方向の係合強度が比較的低くなり、また第２プレート部６０Ｂが支持される部位においては、第２プレート部６０Ｂと支持基台本体１２Ｂとの鉛直方向の係合強度がより一層高くなる。
【００６７】
従って、本実施形態の歯科技工用作業模型２Ｂでは、上述のような構成により、第１プレート部５８Ｂの支持基台本体１２Ｂに対する着脱を容易に行うことができるとともに、作業時における第２プレート部６０Ｂの支持基台本体１２Ｂからの落下をより効果的に抑制することができるので、歯形模型（図示せず）を用いた所要の作業をより一層効率良く行うことができる。
［第４の実施形態］
次に、図１２及び図１３を参照して、第４の実施形態の歯科技工用作業模型及びこれに用いる支持基台について説明する。図１２は、本発明の第４の実施形態による歯科技工用作業模型を示す分解斜視図であり、図１３（ａ）は、図１２の支持基台の上面を示す図であり、図１３（ｂ）は、その固定用プレートの下面を示す図である。
【００６８】
本実施形態の歯科技工用作業模型２Ｃでは、歯形模型４Ｃは上歯全体（又は下歯全体）のもの、即ち、全顎タイプのものから構成されている。これに関連して、固定用プレート６Ｃは弧状に延びて構成されており、ダウエルピン８は挿入孔１８に対応して固定用プレート６Ｃに間隔を置いて１４本植設されている。また、支持基台本体１２Ｃの上壁１６Ｃは、固定用プレート６Ｃに対応して弧状に延びており、この上壁１６Ｃの内側には略半楕円状の支持用凹部７０が設けられている。支持基台本体１２Ｃの周側壁１４Ｃの外周面には、挿入孔１８に対応して位置決め用突部３４が設けられている。
【００６９】
図１３（ａ）に示すように、上壁１６Ｃの上面には１４個の挿入孔１８が間隔を置いて設けられるとともに、その外周縁及び内周縁にはそれぞれ弧状に延びる係合用突部２４Ｃ及び係合用突条２５Ｃが設けられている。係合用突部２４Ｃの内側部には複数の第１突状部２６Ｃが間隔を置いて設けられ、また複数の第１突状部２６Ｃの間にはそれぞれ第１凹状部２８Ｃが規定されている。第１突状部２６Ｃには、内側に向けて下り傾斜する傾斜面３０Ｃが形成され、また第１凹状部２８Ｃには、内側に向けて下り傾斜する傾斜面３２Ｃが形成されている。また、上壁１６Ｃの上面における内周縁よりも内側に離れた部位（具体的には、上壁１６Ｃの上面における内周縁と挿入孔１８との間の部位）には、複数の係合用補助突部３３Ｃが設けられている。複数の係合用補助突部３３Ｃは、係合用突部２４Ｃに対して略平行に且つ間隔を置いて配置されている。
【００７０】
図１３（ｂ）に示すように、固定用プレート６Ｃの下面における外周縁及び内周縁にはそれぞれ、支持基台本体１２Ｃの係合用突部２４Ｃ及び係合用突条２５Ｃに対応して、係合用凹部３６Ｃ及び係合用凹条３７Ｃが設けられている。係合用凹部３６Ｃ及び係合用凹条３７Ｃはそれぞれ、上方に延びるとともに弧状に延びている。係合用凹部３６Ｃの内側部には複数の第２突状部３８Ｃが間隔を置いて設けられ、また複数の第２突状部３８Ｃの間にはそれぞれ第２凹状部４０Ｃが規定されている。第２突状部３８Ｃ及び第２凹状部４０Ｃはそれぞれ、係合用突部２４Ｃの第１凹状部２８Ｃ及び第１突状部２６Ｃの各形状に対応した形状を有している。これにより、第２突状部３８Ｃには、第１凹状部２８Ｃの傾斜面３２Ｃに対応して、内側に向けて下り傾斜する傾斜面４２Ｃが形成され、また第２凹状部４０Ｃには、第１突状部２６Ｃの傾斜面３０Ｃに対応して、内側に向けて下り傾斜する傾斜面４４Ｃが形成されている。また、固定用プレート６Ｃの下面における内周縁よりも内側に離れた部位（具体的には、固定用プレート６Ｃの下面における内周縁とダウエルピン８との間の部位）には、複数の係合用補助突部３３Ｃに対応して、複数の係合用補助凹部４５Ｃが設けられている。複数の係合用補助凹部４５Ｃは、係合用凹部３６Ｃに対して略平行に且つ間隔を置いて配置されている。
【００７１】
従って、本実施形態の歯科技工用作業模型２Ｃにおいても、上述したのと同様の作用効果が達成される。また、固定用プレート６Ｃを支持基台本体１２Ｃの上面に支持させると、複数の係合用補助突部３３Ｃと複数の係合用補助凹部４５Ｃとが相互に係合され、これにより次のような作用効果が達成される。切断工程において、図１３（ｂ）中の一点鎖線で示す切断線７４に沿って固定用プレート６Ｃを切断すると、略扇形状のプレート部７６が形成される。このプレート部７６の内周縁側においては、２つの係合用補助突部３３Ｃと２つの係合用補助凹部４５Ｃとが相互に係合されるとともに、係合用突条２５Ｃと係合用凹条３７Ｃとが相互に係合されることにより、プレート部７６と支持基台本体１２との水平方向の係合強度を高く保つことができる。
【００７２】
また、本実施形態では、固定用プレート６Ｃのほぼ全域にダウエルピン８が植設されたもの（所謂、フルタイプのもの）について説明したが、固定用プレート６Ｃの一部にダウエルピン８が植設されたもの（所謂、局所タイプのもの）にも適用することができ、ダウエルピン８の数及び配置は適宜設定することができる。
［第５の実施形態］
次に、図１４を参照して、第５の実施形態の歯科技工用作業模型及びこれに用いる支持基台について説明する。図１４（ａ）は、本発明の第５の実施形態による歯科技工用作業模型の支持基台の上面を示す図であり、図１４（ｂ）は、その固定用プレートの下面を示す図である。
【００７３】
本実施形態の歯科技工用作業模型では、歯形模型（図示せず）は部分タイプのものから構成されている。支持基台本体１２Ｄの上壁１６Ｄの上面における他側縁には、上述した係合用突条は設けられておらず、支持基台１０Ｄの他の構成については、上記第１の実施形態と同様である。また、固定用プレート６Ｄの下面における他側縁には、上述した係合用凹条は設けられておらず、固定用プレート６Ｄの他の構成については、上記第１の実施形態と同様である。従って、本実施形態においても、上記第１の実施形態と同様の作用効果が達成される。
［第６の実施形態］
次に、図１５を参照して、第６の実施形態の歯科技工用作業模型及びこれに用いる支持基台について説明する。図１５（ａ）は、本発明の第６の実施形態による歯科技工用作業模型の支持基台の上面を示す図であり、図１５（ｂ）は、その固定用プレートの下面を示す図である。
【００７４】
本実施形態の歯科技工用作業模型では、歯形模型（図示せず）は全顎タイプのものから構成されている。支持基台本体１２Ｅの上壁１６Ｅの上面における内周縁には、上述した係合用突条は設けられておらず、支持基台１０Ｅの他の構成については、上記第４の実施形態と同様である。また、固定用プレート６Ｅの下面における内周縁には、上述した係合用凹条は設けられておらず、固定用プレート６Ｅの他の構成については、上記第４の実施形態と同様である。本実施形態においても、上記第４の実施形態と同様の作用効果が達成される。
［第７の実施形態］
次に、図１６を参照して、第７の実施形態の歯科技工用作業模型及びこれに用いる支持基台について説明する。図１６（ａ）は、本発明の第７の実施形態による歯科技工用作業模型の支持基台の上面を示す図であり、図１６（ｂ）は、その固定用プレートの下面を示す図である。
【００７５】
本実施形態の歯科技工用作業模型では、歯形模型（図示せず）は全顎タイプのものから構成されている。支持基台本体１２Ｆの上壁１６Ｆの上面における外周縁及び内周縁にはそれぞれ、弧状に延びる係合用突条７８，２５Ｃが設けられている。これら係合用突条７８，２５Ｃの内側部には、上述した係合用突部のように複数の第１突状部及び複数の第１凹状部は設けられていない。これに対応して、固定用プレート６Ｆの下面における外周縁及び内周縁にはそれぞれ、弧状に延びる係合用凹条８０，３７Ｃが設けられている。これら係合用凹条８０，３７Ｃの内側部には、上述した係合用凹部のように複数の第２突状部及び複数の第２凹状部は設けられていない。
【００７６】
また、支持基台本体１２Ｆの上壁１６Ｆの上面における内周縁よりも内側に離れた部位（具体的には、上壁１６Ｆの上面における内周縁と挿入孔１８との間の部位）に複数の係合用補助突部３３Ｃが設けられているとともに、支持基台本体１２Ｆの上壁１６Ｆの上面における外周縁よりも内側に離れた部位（具体的には、上壁１６Ｆの上面における外周縁と挿入孔１８との間の部位）に複数の係合用補助突部８２が設けられている。これら複数の係合用補助突部３３Ｃ，８２はそれぞれ、係合用突条２５Ｃ，７８に対して略平行に且つ間隔を置いて配置されている。支持基台１０Ｆの他の構成については、上記第４の実施形態と同様である
また、固定用プレート６Ｆの下面における内周縁よりも内側に離れた部位（具体的には、固定用プレート６Ｆの下面における内周縁とダウエルピン８との間の部位）に複数の係合用補助凹部４５Ｃが設けられているとともに、固定用プレート６Ｆの下面における外周縁よりも内側に離れた部位（具体的には、固定用プレート６Ｆの下面における外周縁とダウエルピン８との間の部位）に複数の係合用補助凹部８４が設けられている。これら複数の係合用補助凹部４５Ｃ，８４はそれぞれ、係合用凹条３７Ｃ，８０に対して略平行に且つ間隔を置いて配置されている。固定用プレート６Ｆの他の構成については、上記第４の実施形態と同様である。
【００７７】
固定用プレート６Ｆを支持基台本体１２Ｆの上面に支持させると、一対の係合用突条２５Ｃ，７８と一対の係合用凹条３７Ｃ，８０とが相互に係合されるとともに、複数の係合用補助突部３３Ｃ，８２と複数の係合用補助凹部４５Ｃ，８４とが相互に係合される。これにより、上記第４の実施形態と同様に、固定用プレート６Ｆと支持基台本体１２Ｆとの水平方向の係合強度を高めることができる。
［第８の実施形態］
次に、図１７を参照して、第８の実施形態の歯科技工用作業模型及びこれに用いる支持基台について説明する。図１７（ａ）は、本発明の第８の実施形態による歯科技工用作業模型の支持基台の上面を示す図であり、図１７（ｂ）は、その固定用プレートの下面を示す図である。
【００７８】
本実施形態の歯科技工用作業模型では、歯形模型（図示せず）は部分タイプのものから構成されている。支持基台本体１２Ｇの上壁１６Ｇの上面における両側縁にはそれぞれ、上壁１６Ｇの長手方向に延びる係合用突条２５，７８Ｇが設けられている。これら係合用突条２５，７８Ｇの内側部には、上述した係合用突部のように複数の第１突状部及び複数の第１凹状部は設けられていない。これに対応して、固定用プレート６Ｇの下面における両側縁にはそれぞれ、固定用プレート６Ｇの長手方向に延びる係合用凹条３７，８０Ｇが設けられている。これら係合用凹条３７，８０Ｇの内側部には、上述した係合用凹部のように複数の第２突状部及び複数の第２凹状部は設けられていない。
【００７９】
支持基台本体１２Ｇの上壁１６Ｇの上面における一側縁よりも内側に離れた部位（具体的には、上壁１６Ｇの上面における一側縁と挿入孔１８との間の部位）に複数の係合用補助突部３３が設けられているとともに、支持基台本体１２Ｇの上壁１６Ｇの上面における他側縁よりも内側に離れた部位（具体的には、上壁１６Ｇの上面における他側縁と挿入孔１８との間の部位）に複数の係合用補助突部８２Ｇが設けられている。これら複数の係合用補助突部３３，８２Ｇはそれぞれ、係合用突条２５，７８Ｇに対して略平行に且つ間隔を置いて配置されている。支持基台１０Ｇの他の構成については、上記第１の実施形態と同様である。
【００８０】
また、固定用プレート６Ｇの下面における一側縁よりも内側に離れた部位（具体的には、固定用プレート６Ｇの下面における一側縁とダウエルピン８との間の部位）に複数の係合用補助凹部４５が設けられているとともに、固定用プレート６Ｇの下面における他側縁よりも内側に離れた部位（具体的には、固定用プレート６Ｇの下面における他側縁とダウエルピン８との間の部位）に複数の係合用補助凹部８４Ｇが設けられている。これら複数の係合用補助凹部４５，８４Ｇはそれぞれ、係合用凹条３７，８０Ｇに対して略平行に且つ間隔を置いて配置されている。固定用プレート６Ｇの他の構成については、上記第１の実施形態と同様である。
【００８１】
固定用プレート６Ｇを支持基台本体１２Ｇの上面に支持させると、一対の係合用突条２５，７８Ｇと一対の係合用凹条３７，８０Ｇとが相互に係合されるとともに、複数の係合用補助突部３３，８２Ｇと複数の係合用補助凹部４５，８４Ｇとが相互に係合される。これにより、上記第１の実施形態と同様に、固定用プレート６Ｇと支持基台本体１２Ｇとの水平方向の係合強度を高めることができる。
【００８２】
なお、図１８に示すような構成とすることもできる。即ち、複数の係合用補助突部３３は、支持基台本体１２Ｈの上壁１６Ｈの上面における一側縁よりも内側に離れた部位にのみ設けられ、また、複数の係合用補助凹部４５は、固定用プレート６Ｈの下面における一側縁よりも内側に離れた部位にのみ設けられている。このような構成であっても、上述したのと同様の作用効果が達成される。
［第９の実施形態］
次に、図１９を参照して、第９の実施形態の歯科技工用作業模型及びこれに用いる支持基台について説明する。図１９（ａ）は、本発明の第９の実施形態による歯科技工用作業模型の支持基台の上面を示す図であり、図１９（ｂ）は、その固定用プレートの下面を示す図である。
【００８３】
本実施形態の歯科技工用作業模型では、歯形模型（図示せず）は全顎タイプのものから構成されている。支持基台本体１２Ｊの上壁１６Ｊの上面において、複数の挿入孔１８の両側にはそれぞれ、上方に延びる複数の突部８６，８８が設けられている。即ち、支持基台本体１２Ｊの上壁１６Ｊの上面における内周縁よりも内側に離れた部位に複数の突部８６が設けられているとともに、支持基台本体１２Ｊの上壁１６Ｊの上面における外周縁よりも内側に離れた部位に複数の突部８８が設けられている。これら複数の突部８６，８８はそれぞれ、複数の挿入孔１８の配設方向に対して略平行に且つ間隔を置いて配置されている。また、複数の突部８６，８８の配置間隔Ｄ１（例えば約４ｍｍ）は、複数の挿入孔１８の配置間隔Ｄ２（例えば約９ｍｍ）よりも短く構成されており、これにより隣接する一対の挿入孔１８の間に対応して、１〜４個（好ましくは２〜３個）の突部８６，８８が配設されるようになる。なお、支持基台本体１２Ｊの上壁１６Ｊの上面における両周縁には、上述した係合用突部や係合用突条は設けられておらず、支持基台１０Ｊの他の構成については、上記第４の実施形態と同様である。
【００８４】
また、固定用プレート６Ｊの下面において、複数のダウエルピン８の両側にはそれぞれ、上方に延びる複数の凹部９０，９２が設けられている。即ち、固定用プレート６Ｊの下面における内周縁よりも内側に離れた部位に複数の凹部９０が設けられているとともに、固定用プレート６Ｊの下面における外周縁よりも内側に離れた部位に複数の凹部９２が設けられている。これら複数の凹部９０，９２はそれぞれ、複数のダウエルピン８の配設方向に対して略平行に且つ間隔を置いて配置されている。また、複数の凹部９０，９２の配置間隔Ｄ３（例えば約４ｍｍ）は、複数のダウエルピン８の配置間隔Ｄ４（例えば約９ｍｍ）よりも短く構成されており、これにより隣接する一対のダウエルピン８の間に対応して、例えば１〜４個（好ましくは２〜３個）の凹部９０，９２が配設されるようになる。なお、固定用プレート６Ｊの下面における両周縁には、上述した係合用突部や係合用突条は設けられておらず、固定用プレート６Ｊの他の構成については、上記第４の実施形態と同様である。本実施形態では、突部８６，８８及び凹部９０，９２はそれぞれ、平面視で長方形状に構成され、それらの長さは例えば約３ｍｍに構成されている。
【００８５】
本実施形態では、固定用プレート６Ｊを支持基台本体１２Ｊの上面に支持させると、複数の突部８６と複数の凹部９０とが相互に係合されるとともに、複数の突部８８と複数の凹部９２とが相互に係合される。上述した切断工程において、図１９（ｂ）中の一点鎖線で示す切断線７４Ｊに沿って固定用プレート６Ｊを切断すると、略扇形状のプレート部７６Ｊが形成される。プレート部７６Ｊの外周側には３つの凹部９２が配設され、その内周側には２つの凹部９０が配設されるようになる。このように、プレート部７６Ｊの外周側（内周側）において複数の突部８６（８８）と複数の凹部９０（９２）とが相互に係合されることにより、プレート部７６Ｊと支持基台本体１２Ｊとの水平方向の係合強度を高く保つことができる。
［第１０の実施形態］
次に、図２０を参照して、第１０の実施形態の歯科技工用作業模型及びこれに用いる支持基台について説明する。図２０（ａ）は、本発明の第１０の実施形態による歯科技工用作業模型の支持基台の上面を示す図であり、図２０（ｂ）は、その固定用プレートの下面を示す図である。
【００８６】
本実施形態の歯科技工用作業模型では、歯形模型（図示せず）は部分タイプのものから構成されている。支持基台本体１２Ｋの上壁１６Ｋの上面において、複数の挿入孔１８の両側にはそれぞれ、上方に延びる複数の突部８６Ｋ，８８Ｋが設けられている。即ち、支持基台本体１２Ｋの上壁１６Ｋの上面における一側縁よりも内側に離れた部位に複数の突部８６Ｋが設けられているとともに、支持基台本体１２Ｋの上壁１６Ｋの上面における他側縁よりも内側に離れた部位に複数の突部８８Ｋが設けられている。これら複数の突部８６Ｋ，８８Ｋはそれぞれ、複数の挿入孔１８の配設方向に対して略平行に且つ間隔を置いて配置されている。また、複数の突部８６Ｋ，８８Ｋの配置間隔Ｄ１’（例えば約４ｍｍ）は、複数の挿入孔１８の配置間隔Ｄ２’（例えば約１０ｍｍ）よりも短く構成されており、これにより隣接する一対の挿入孔１８の間に対応して、例えば１〜４個（好ましくは２〜３個）の突部８６Ｋ，８８Ｋが配設されるようになる。なお、支持基台本体１２Ｋの上壁１６Ｋの上面における両側縁には、上述した係合用突部や係合用突条は設けられておらず、支持基台１０Ｋの他の構成については、上記第１の実施形態と同様である。
【００８７】
また、固定用プレート６Ｋの下面において、複数のダウエルピン８の両側にはそれぞれ、上方に延びる複数の凹部９０Ｋ，９２Ｋが設けられている。即ち、固定用プレート６Ｋの下面における一側縁よりも内側に離れた部位に複数の凹部９０Ｋが設けられているとともに、固定用プレート６Ｋの下面における他側縁よりも内側に離れた部位に複数の凹部９２Ｋが設けられている。これら複数の凹部９０Ｋ，９２Ｋはそれぞれ、複数のダウエルピン８の配設方向に対して略平行に且つ間隔を置いて配置されている。また、複数の凹部９０Ｋ，９２Ｋの配置間隔Ｄ３’（例えば約４ｍｍ）は、複数のダウエルピン８の配置間隔Ｄ４’（例えば約１０ｍｍ）よりも短く構成されており、これにより隣接する一対のダウエルピン８の間に対応して、例えば１〜４個（好ましくは２〜３個）の凹部９０Ｋ，９２Ｋが配設されるようになる。なお、固定用プレート６Ｋの下面における両側縁には、上述した係合用突部や係合用突条は設けられておらず、固定用プレート６Ｋの他の構成については、上記第１の実施形態と同様である。
【００８８】
本実施形態では、固定用プレート６Ｋを支持基台本体１２Ｋの上面に支持させると、複数の突部８６Ｋと複数の凹部９０Ｋとが相互に係合されるとともに、複数の突部８８Ｋと複数の凹部９２Ｋとが相互に係合される。これにより、固定用プレート６Ｋと支持基台本体１２Ｋとの水平方向の係合強度を高く保つことができる。
【００８９】
以上、本発明に従う歯科技工用作業模型及びこれに用いる支持基台の各種実施形態について説明したが、本発明はかかる実施形態に限定されるものではなく、本発明の範囲を逸脱することなく種々の変形乃至修正が可能である。
【００９０】
上記各実施形態では、係合用突部２４（２４Ａ〜２４Ｃ）の第１凹状部２８（２８Ａ〜２８Ｃ）及び係合用凹部３６（３６Ｃ）の第２突状部３８（３８Ｃ）にそれぞれ内側に向けて下り傾斜する傾斜面３２（３２Ｃ），４２（４２Ｃ）を形成したが、鉛直方向に延びる鉛直面を形成するようにしてもよい。
【００９１】
また、上記第１〜第８の実施形態では、係合用補助突部３３（８２）（３３Ｃ）（８２Ｇ）及び係合用補助凹部４５（８４）（４５Ｃ）（８４Ｇ）をそれぞれ平面視で長方形状に構成し、また上記第９及び第１０の実施形態における突部８６，８８（８６Ｋ，８８Ｋ）及び凹部９０，９２（９０Ｋ，９２Ｋ）をそれぞれ平面視で長方形状に構成したが、例えば平面視で正方形状や三角形状、菱形状等に構成してもよく、適宜の形状に構成することができる。
【符号の説明】
【００９２】
２，２Ａ〜２Ｃ  歯科技工用作業模型
４，４Ｃ  歯形模型
６，６Ａ〜６Ｋ  固定用プレート
８  ダウエルピン
１０，１０Ａ〜１０Ｋ  支持基台
１２，１２Ａ〜１２Ｋ  支持基台本体
１８  挿入孔
２４，２４Ａ〜２４Ｃ  係合用突部
２５，２５Ｃ，７８，７８Ｇ  係合用突条
２６，２６Ａ〜２６Ｃ  第１突状部
２８，２８Ａ〜２８Ｃ  第１凹状部
３３，３３Ｃ，８２，８２Ｇ  係合用補助突部
３７，３７Ｃ，８０，８０Ｇ  係合用凹条
４５，４５Ｃ，８４，８４Ｇ  係合用補助凹部
３６，３６Ｃ  係合用凹部
３８，３８Ｃ  第２突状部
４０，４０Ｃ  第２凹状部
５８，５８Ｂ  第１プレート部
６０，６０Ｂ  第２プレート部
８６，８６Ｋ，８８，８８Ｋ  突部
９０，９０Ｋ，９２，９２Ｋ  凹部
【図１】
2014079629.tif 000003
【図２】
2014079629.tif 000004
【図３】
2014079629.tif 000005
【図４】
2014079629.tif 000006
【図５】
2014079629.tif 000007
【図６】
2014079629.tif 000008
【図７】
2014079629.tif 000009
【図８】
2014079629.tif 000010
【図９】
2014079629.tif 000011
【図１０】
2014079629.tif 000012
【図１１】
2014079629.tif 000013
【図１２】
2014079629.tif 000014
【図１３】
2014079629.tif 000015
【図１４】
2014079629.tif 000016
【図１５】
2014079629.tif 000017
【図１６】
2014079629.tif 000018
【図１７】
2014079629.tif 000019
【図１８】
2014079629.tif 000020
【図１９】
2014079629.tif 000021
【図２０】
2014079629.tif 000022